(57)【要約】      （修正有）【課題】質感が高く飼い主が愛玩動物を丁重に弔ったという実感を得ることができ、断熱性が高く結露しても変形することがなく、十分な強度があり、更に製造コストが低く、保管や輸送の際に嵩張らない愛玩動物用棺を提供する。【解決手段】隙間４９に固定部材の介装部３３ａ、３５ａ、３７ａをそれぞれ差し込むようにして、隣り合う側板どうしを互いに連結する。箱型となった本体３に愛玩動物の遺体を収容して、上面開口を覆うように蓋を取り付ける。表面側を光沢を有する黒色の硬質合成樹脂板で形成することにより、質感が高くなる。また、内面側を発泡合成樹脂板で形成することにより、断熱性が高くなり、ドライアイスが長持ちする。吸水性がないので、ドライアイスの冷却によって結露しても変形することがない。さらに、納棺現場等で容易に組み立てることができ、展開した状態で保管、輸送できて嵩張ることがない。【選択図】図３
0003185431.tif 000002
【実用新案登録請求の範囲】
【請求項１】
上面が開口する箱型の本体と、前記本体に上面開口を覆うように取り付けられる蓋とから成る愛玩動物用棺において、
前記本体は発泡合成樹脂板の表面側に硬質合成樹脂板を積層して成る板材を組み合わせて構成され、前記本体は底板と、前記底板に回動自在に連結された側板とから成り、前記側板は前記底板に対し起立姿勢と倒伏姿勢に動作可能であって、前記側板を倒伏姿勢として前記本体を平板状に展開した状態から前記側板を起立姿勢として、起立姿勢となった隣り合う側板どうしを連結する連結部材を具備することを特徴とする愛玩動物用棺。
【請求項２】
請求項１に記載した愛玩動物用棺において、連結部材は起立姿勢となった側板どうしの間の前記隙間に上方から差し込まれる介装部と、前記介装部に設けられ、互いに間隔を開け、且つ対向して配置された一対の保持部を有し、前記介装部が前記隙間に差し込まれると、前記一対の保持部の間に前記側板の縁部が入り込んで、前記側板どうしを連結することを特徴とする愛玩動物用棺。
【請求項３】
請求項２に記載した愛玩動物用棺において、側板の外面と内面には上下方向へ延びる溝が形成され、保持部には前記溝に差し込まれる凸条が形成されていることを特徴とする愛玩動物用棺。
【考案の詳細な説明】
【技術分野】
【０００１】
本考案は愛玩動物用棺に係り、特に合成樹脂製の愛玩動物用棺に関するものである。
【背景技術】
【０００２】
近年、愛玩動物を家族の一員としてみなす飼い主が増えるにつれ、愛玩動物が死亡したときにその遺体を人間と同様に棺に納めて弔うことが多くなってきた。この要望に沿うものとして次のような様々な種類の愛玩動物用棺が考案されている。
特許文献１に記載された愛玩動物用棺は、段ボール紙で構成されたものであり、蒲鉾型の形状の頭側上部にカーテンを配するなどしたものである。
また、特許文献２に記載された愛玩動物用棺は、桐材で構成され、側板に切り欠きを有する細長い直方体形状のものである。
【先行技術文献】
【特許文献】
【０００３】
【特許文献１】特開平７−２８９１１０号公報
【特許文献２】特開２００５−３２３７８５号公報
【考案の概要】
【考案が解決しようとする課題】
【０００４】
しかしながら、上記特許文献１の愛玩動物用棺は段ボール紙で構成されているため質感が低く安っぽい印象を受けるため、飼い主が愛玩動物の遺体を丁重に弔ったという実感を得ることができない。
また、遺体の損傷を防ぐために愛玩動物用棺にドライアイスを入れることがあるが、ダンボール紙は断熱性が低いためドライアイスが長持ちせず頻繁に足さなければならないばかりか、ドライアイスの冷却によって結露したときなど段ボール紙が吸水して、愛玩動物用棺が変形してしまうおそれがあるという問題がある。
また、大型の愛玩動物等のように重い遺体を納棺する場合、段ボール紙では十分な強度を得られないという問題がある。
【０００５】
一方、特許文献２の愛玩動物用棺は桐製の板材を接着剤等によって接着して構成されており、組み立てが容易ではないため量産ができず、製造コストが高くなってしまうという問題がある。
また、この愛玩動物用棺は組み立てられた状態で出荷されるため、保管や輸送をする際に嵩張ってしまうという問題がある。
【０００６】
本考案は上記従来の問題に着目して為されたものであり、質感が高くて安っぽい印象を受けず飼い主が愛玩動物の遺体を丁重に弔ったという実感を得ることができ、断熱性が高くてドライアイスが長持ちし、吸水性がなくドライアイスの冷却によって結露しても変形することがなく、しかも重い遺体を納棺しても十分な強度を得ることができ、更に量産が可能で製造コストが低く、保管や輸送の際に嵩張らない愛玩動物用棺の提供を、その目的とする。
【課題を解決するための手段】
【０００７】
本考案は上記課題を解決するためになされたものであり、請求項１の考案は、上面が開口する箱型の本体と、前記本体に上面開口を覆うように取り付けられる蓋とから成る愛玩動物用棺において、
前記本体は発泡合成樹脂板の表面側に硬質合成樹脂板を積層して成る板材を組み合わせて構成され、前記本体は底板と、前記底板に回動自在に連結された側板とから成り、前記側板は前記底板に対し起立姿勢と倒伏姿勢に動作可能であって、前記側板を倒伏姿勢として前記本体を平板状に展開した状態から前記側板を起立姿勢として、起立姿勢となった隣り合う側板どうしを連結する連結部材を具備することを特徴とする愛玩動物用棺である。
【０００８】
請求項２の考案は、請求項１に記載した愛玩動物用棺において、連結部材は起立姿勢となった側板どうしの間の前記隙間に上方から差し込まれる介装部と、前記介装部に設けられ、互いに間隔を開け、且つ対向して配置された一対の保持部を有し、前記介装部が前記隙間に差し込まれると、前記一対の保持部の間に前記側板の縁部が入り込んで、前記側板どうしを連結することを特徴とする愛玩動物用棺である。
【０００９】
請求項３の考案は、請求項２に記載した愛玩動物用棺において、側板の外面と内面には上下方向へ延びる溝が形成され、保持部には前記溝に差し込まれる凸条が形成されていることを特徴とする愛玩動物用棺である。
【考案の効果】
【００１０】
本考案の愛玩動物用棺によれば、表面側が硬質合成樹脂板で形成されているため、質感が高くて安っぽい印象を受けず飼い主が愛玩動物の遺体を丁重に弔ったという実感を得ることができる。
また、内面側は発泡合成樹脂板で形成されているため、断熱性が高くてドライアイスが長持ちし、吸水性がなくドライアイスの冷却によって結露しても変形を防止することができるようになる。
【００１１】
さらに、この愛玩動物用棺は発泡合成樹脂板の表面側に硬質合成樹脂板が積層された板材を組み合わせて成るため十分な強度を得ることができる。また、量産ができて製造コストが低く抑えることが可能となる。
また、本体を平板状に展開した状態から側板を起立姿勢として固定する固定部材を具備しているため納棺現場等で容易に組み立てることができる。従って、愛玩動物用棺は展開した状態で保管、輸送できて嵩張ることがない。
【図面の簡単な説明】
【００１２】
【図１】本考案の実施の形態に係る愛玩動物用棺の斜視図である。
【図２】図１の愛玩動物用棺の本体の展開図である。
【図３】図１の愛玩動物用棺の本体を組み立てる方法を説明する斜視図である。
【図４】（ａ）は図２のＡ−Ａ断面図である。（ｂ）は図３のＢ−Ｂ断面図である。
【図５】図１のＣ−Ｃ断面図である。
【考案を実施するための形態】
【００１３】
本考案の実施の形態に係る愛玩動物用棺１を図面にしたがって説明する。
符号３は本体を示し、この本体３は底板５、６枚の側板７、９、１１、１３、１５、１７、連携部３１によって構成されている。底板５と６枚の側板７、９、１１、１３、１５、１７は連携部３１を介して連結されている。
底板５と側板７、９、１１、１３、１５、１７は黒色のポリスチレン製の発泡合成樹脂板１９の表面側に黒色の光沢を有するアクリル樹脂製の硬質合成樹脂板２１を積層したものであり、焼却しても有毒ガスが発生しないように配慮された材料で構成されている。
【００１４】
図２に示すように、底板５は前後に延びる変形型の六角形を為しており、底板５は平面視において上辺５ａ、この上辺５ａの両端に接続され、互いに離れる方向へ傾斜する短寸法の側辺５ｂ、５ｂ、更に側辺５ｂ、５ｂの先端に接続され互いに近づく方向へ傾斜する長寸法の側辺５ｃ、５ｃ、更に側辺５ｃ、５ｃに接続される下辺５ｄを有している。
また、底板５の縁部には傾斜面２３が形成されており、この傾斜面２３は発泡合成樹脂板１９側（内面側）に設けられている。
【００１５】
側板７、９、１１、１３、１５、１７は長方形を為している。側板７の下辺７ａ、左右の側辺７ｂに対応する縁部はそれぞれ傾斜面２５となっている。同様に、側板９の下辺９ａ、左右の側辺９ｂ、側板１１の下辺１１ａ、左右の側辺１１ｂ、側板１３の下辺１３ａ、左右の側辺１３ｂ、側板１５の下辺１５ａ、左右の側辺１５ｂ、側板１７の下辺１７ａ、左右の側辺１７ｂに対応する縁部はそれぞれ傾斜面２５となっている。
【００１６】
これらの傾斜面２５は発泡合成樹脂板１９側（内面側）に設けられている。また、側板７、９、１１、１３、１５、１７の傾斜面２５が設けられていない側の端部には段差部２７がそれぞれ形成されている。
側板７、９、１１、１３、１５、１７の長さ寸法は、底板５の上辺５ａ、側辺５ｂ、５ｂ、側辺５ｃ、５ｃ、下辺５ｄより所定寸法短く設定されている。
側板７、９、１１、１３、１５、１７の硬質合成樹脂板２１（表面側）及び発泡合成樹脂板１９側（内面側）には、一対の溝２９がそれぞれ形成されている。溝２９は側板７、９、１１、１３、１５、１７の左右の側辺７ｂ、９ｂ、１１ｂ、１３ｂ、１５ｂ、１７ｂから、所定の間隔を開け、且つ互いに平行となるように配置されている。
底板５は、側板７、９、１１、１３、１５、１７の下辺７ａ、９ａ、１１ａ、１３ａ、１５ａ、１７ａに連携部３１を介して連結されている。連携部３１は薄肉に形成されているので連携部３１は容易に折り曲げ可能であり、側板７、９、１１、１３、１５、１７は底板５に対して起立姿勢と倒伏姿勢とに動作可能な構成となっている。
【００１７】
符号３３、３３、３５、３５、３７、３７は６つの固定部材を示し、これらの固定部材３３、３３、３５、３５、３７、３７は底板５、側板７、９、１１、１３、１５、１７と同じ合成樹脂によって構成されている。
固定部材３３、３３、３５、３５、３７、３７は板状の介装部３３ａ、３３ａ、３５ａ、３５ａ、３７ａ、３７ａを有し、これらの介装部３３ａ、３３ａ、３５ａ、３５ａ、３７ａ、３７ａは後述する隙間４９にぴったり嵌るサイズの板状に形成されている。
【００１８】
介装部３３ａ、３３ａの幅方向の両端部には保持部３３ｂ、３３ｃが形成され、また、介装部３５ａ、３５ａの幅方向の両端部には保持部３５ｂ、３５ｃが形成されており、更に介装部３７ａ、３７ａの幅方向の両端部には保持部３７ｂ、３７ｃが形成されている。保持部３３ｂ、３３ｃ、３５ｂ、３５ｃ、３７ｂ、３７ｃは平面視「くの字」状を為すように傾斜している。保持部３３ｂ、３３ｃ、３５ｂ、３５ｃ、３７ｂ、３７ｃの傾斜角度は後述するように起立姿勢となった側板７、９、１１、１３、１５、１７の内外面の傾斜角度に対応している。
また、保持部３３ｂ、３５ｂ、３７ｂの両端部には凸条４１が形成され、保持部３３ｃ、３５ｃ、３７ｃの両端部には凸条４２が形成されている。凸条４１と凸条４２は互いに向き合い方向へ突出している。
【００１９】
符号４３は蓋を示し、この蓋４３は天板４５と６つの側板４７によって構成されている。天板４５と側板４７は本体３と同様に黒色のポリスチレン製の発泡合成樹脂板１９の表面側に黒色の光沢を有するアクリル樹脂製の硬質合成樹脂板２１を積層したものである。
天板４５は底板５と同じ六角形を為しており、この天板４５の６つの端部にはそれぞれ下方向に延びる側板４７が固着されている。側板４７の下端部の内側には凸縁が設けられており、この凸縁は本体３の段差部２７にぴったり嵌まり合う構成となっている。
【００２０】
愛玩動物用棺１の使用方法について説明する。
図５に示すように、側板７、９、１１、１３、１５、１７を起こすように垂直に立てて傾斜面２５と底板５の傾斜面２３とを接合させ起立姿勢とする。側板７、９、１１、１３、１５、１７を起立姿勢にすると、隣り合う側板７と側板９、側板７と側板１１、側板９と側板１３、側板１１と側板１５、側板１３と側板１７、側板１５と側板１７との間にはそれぞれ隙間４９が形成される。
【００２１】
これらの隙間４９に固定部材３３、３３、３５、３５、３７、３７の介装部３３ａ、３３ａ、３５ａ、３５ａ、３７ａ、３７ａをそれぞれ差し込むようにして、隣り合う側板７と側板９、側板７と側板１１、側板９と側板１３、側板１１と側板１５、側板１３と側板１７、側板１５と側板１７とを連結する。
すなわち、固定部材３３の介装部３３ａを隙間４９に差し込むと、保持部３３ｂと保持部３３ｃによって側板７と側板９、側板７と側板１１とが挟まれ、更に凸条４１が側板７と側板９、側板７と側板１１の溝２９に入り込んだ状態となり、固定部材３３を介して側板７と側板９、側板７と側板１１とが連結される。
【００２２】
これと同様にして、固定部材３５の介装部３５ａを隙間４９に差し込むと、保持部３５ｂ、３５ｃによって側板９と側板１３、側板１１と側板１５とが挟まれ、更に凸条４１が側板９と側板１３、側板１１と側板１５の溝２９に入り込んだ状態となり、固定部材３５を介して側板９と側板１３、側板１１と側板１５とが連結される。また、固定部材３７の介装部３７ａを隙間４９に差し込むと、保持部３７ｂ、３７ｃによって側板１３と側板１７、側板１５と側板１７とが挟まれ、更に凸条４１が側板１３と側板１７、側板１５と側板１７の溝２９に入り込んだ状態となり、固定部材３７を介して側板１３と側板１７、側板１５と側板１７とが連結される。
【００２３】
なお、保持部３３ｂ、３３ｃ、３５ｂ、３５ｃ、３７ｂ、３７ｃの傾斜角度は起立姿勢となった側板７、９、１１、１３、１５、１７の内外面の傾斜角度に対応しているので、保持部３３ｂ、３３ｃ、３５ｂ、３５ｃ、３７ｂ、３７ｃは側板７、９、１１、１３、１５、１７にそれぞれ接合した状態となる。
上記のようにして本体３を組み立てると、本体３は上面が開口する箱型となる。この箱型となった本体３に愛玩動物の遺体を収容して、本体３の上面開口を覆うように蓋４３を取り付ける。
【００２４】
この愛玩動物用棺１は、その表面側が光沢を有する黒色の硬質合成樹脂板２１で形成されているため、質感が高くて安っぽい印象を受けず飼い主が愛玩動物の遺体を丁重に弔ったという実感を得ることができる。
また、愛玩動物用棺１の内面側は発泡合成樹脂板１９で形成されているため、断熱性が高い構成となっており、ドライアイスが長持ちするためドライアイスを頻繁に足す必要がなくなる。
愛玩動物用棺１は上記の発泡合成樹脂板１９と硬質合成樹脂板２１で構成されているため、吸水性がなく、ドライアイスの冷却によって結露しても変形することがない。
【００２５】
この愛玩動物用棺１は発泡合成樹脂板１９の表面側に硬質合成樹脂板２１が積層された板材を組み合わせて成るため十分な強度を得ることができ、大型犬などの重い遺体を納棺しても十分に耐えることができる。
また、この上記構造は原料が安価で製造も容易であるため量産ができて製造コストを低く抑えることが可能である。
愛玩動物用棺１の本体３は平板状に展開した状態から側板７、９、１１、１３、１５、１７を起立姿勢とし、側板７、９、１１、１３、１５、１７を固定部材３３、３５、３７によってそれぞれ固定することが可能であり、納棺現場等で容易に組み立てることができる。従って、愛玩動物用棺１は展開した状態で保管、輸送できて嵩張ることがない。
【００２６】
以上、本考案の実施の形態について詳述してきたが、具体的構成は、この実施の形態に限られるものではなく、本考案の要旨を逸脱しない範囲における設計の変更などがあっても考案に含まれる。
例えば、愛玩動物用棺１の形状は六角形の底板５を有する箱型であったが、本考案はこれに限定されず、例えば底板が五角系を有する箱型や、底板が四角形を有する箱型でもよい。
また、本実施の形態の愛玩動物用棺１は黒色のポリスチレン製の発泡合成樹脂板１９の表面側に黒色の光沢を有するアクリル樹脂製の硬質合成樹脂板２１を積層されたものであったが、本考案の材料は焼却しても有毒ガスが発生しないものであればどのような合成樹脂を用いてもよい。
【産業上の利用可能性】
【００２７】
愛玩動物用棺の製造業に利用可能性を有する。
【符号の説明】
【００２８】
１…愛玩動物用棺                  ３…本体
５…底板                        ５ａ…上辺
５ｂ、５ｃ…側辺                  ５ｄ…下辺
７、９、１１、１３、１５、１７…側板
７ａ、９ａ、１１ａ、１３ａ、１５ａ、１７ａ…下辺
７ｂ、９ｂ、１１ｂ、１３ｂ、１５ｂ、１７ｂ…側辺
１９…発泡合成樹脂板            ２１…硬質合成樹脂板
２３、２５…傾斜面              ２７…段差部
２９…溝                        ３１…連携部
３３、３５、３７…固定部材      ３３ａ、３５ａ、３７ａ…介装部
３３ｂ、３３ｃ、３５ｂ、３５ｃ、３７ｂ、３７ｃ…保持部
４１、４２…凸条                ４３…蓋
４５…天板                      ４７…側板
４９…隙間
【図１】
0003185431.tif 000003
【図２】
0003185431.tif 000004
【図３】
0003185431.tif 000005
【図４】
0003185431.tif 000006
【図５】
0003185431.tif 000007